(57)【要約】【課題】  本発明は、放射温度計の測定視野を測定対象物に対して正しく向けた状態で温度測定することができる新規な温度測定用鏡及び鏡構造を提供することを目的とする。【解決手段】  鏡前に配置される測定対象物の鏡像を、放射温度計の測定視野に対応する部分を含んだ状態で鏡面上に映しながら、鏡前に配置される測定対象物の温度を放射温度計で測定する。【選択図】  図７
2011169741.tif 000002
【特許請求の範囲】
【請求項１】
鏡に放射温度計を備えてなる温度測定用鏡であって、前記鏡は、鏡前に配置される測定対象物の鏡像を、前記放射温度計の測定視野に対応する部分を含んだ状態で鏡面上に映すものであり、前記放射温度計は、鏡前に配置される測定対象物に向かう測定視野を有し、前記鏡に測定対象物を映しながら、前記放射温度計で測定対象物の温度を測定することを特徴とする温度測定用鏡。
【請求項２】
請求項１に記載の温度測定用鏡において、放射温度計の測定視野方向に誘導光を照射する誘導光照射装置が備えられてなり、測定対象物における、前記誘導光が照射された部分を含む鏡像が鏡面上に映ることにより放射温度計の測定視野が視認できる温度測定用鏡。
【請求項３】
請求項１又は２に記載の温度測定用鏡において、放射温度計の測定視野の目安となる印が鏡面に一時的ないし常時表示される温度測定用鏡。
【請求項４】
請求項１ないし３のいずれか１項に記載の温度測定用鏡において、放射温度計の測定視野の向きが変更可能となるように、鏡に放射温度計が備えられる温度測定用鏡。
【請求項５】
請求項１ないし４のいずれか１項に記載の温度測定用鏡において、放射温度計によって測定された測定温度を記録する測定温度記録部を備えてなる温度測定用鏡。
【請求項６】
請求項１ないし５のいずれか１項に記載の温度測定用鏡において、放射温度計によって測定された測定温度を表示する測定温度表示部を備えてなる温度測定用鏡。
【請求項７】
請求項１ないし６のいずれか１項に記載の温度測定用鏡において、放射温度計によって測定された測定温度が、基準温度として設定された温度範囲を超えた場合、又は、基準温度として設定された温度範囲に至らなかった場合に信号を発する通知装置を備えてなる温度測定用鏡。
【請求項８】
請求項１ないし７のいずれか１項に記載の温度測定用鏡において、測定対象物の存在を感知する感知装置を備えてなる温度測定用鏡。
【請求項９】
測定対象物を鏡に映しながら、測定対象物の温度を放射温度計で測定する鏡構造であって、該鏡構造は、鏡前に配置される測定対象物の鏡像を、前記放射温度計の測定視野に対応する部分を含んだ状態で鏡面上に映す鏡と、鏡前に配置される測定対象物に向かう測定視野を有する放射温度計とを具備することを特徴とする鏡構造。
【発明の詳細な説明】
【技術分野】
【０００１】
本発明は、鏡に測定対象物を映しながら、放射温度計で測定対象物の温度を測定する温度測定用鏡及び鏡構造に関する。
【背景技術】
【０００２】
最近、測定対象物から放射されている赤外線を検知することにより温度を測定する赤外放射温度計などの放射温度計が開発されている。放射温度計は、その測定視野を測定対象物に向けるだけで瞬時に温度を測定することができるといった利点がある。
【０００３】
この種の放射温度計としては、大きく分けて接触式と非接触式の２種類がある。接触式の放射温度計としては、例えば、プローブを外耳道に挿入し、鼓膜近辺から放射される赤外線を検知するものがある（例えば、下記特許文献１及び２参照。）。
【０００４】
一方、非接触式の放射温度計としては、測定視野を額、頬或いは口腔などに向けて、測定視野に対応する部分から放射される赤外線を検知するものがある（例えば、下記特許文献３参照。）。
【先行技術文献】
【特許文献】
【０００５】
【特許文献１】特公平６‐６３８５１号公報
【特許文献２】特公平８‐１６６２９号公報
【特許文献３】特開平９‐１４５４８３号公報
【発明の概要】
【発明が解決しようとする課題】
【０００６】
接触式の放射温度計は、温度測定時にプローブを外耳道等に挿入することにより測定視野を鼓膜近辺に導くことから、使用者は測定視野の向きを意識することなく温度測定することができる。しかしながら、不特定多数の人が使用することによる感染のおそれがあり、衛生的な観点からその使用を敬遠する人が多い。
【０００７】
一方、非接触式の放射温度計は、測定対象物とは完全に非接触の状態で温度測定するものであることから非常に衛生的である。しかしながら、放射温度計の測定視野は視覚的に把握することができないため、温度測定時に測定視野が測定対象物に対して正しく向いているかどうかを確認することは困難である。
【０００８】
この点につき、放射温度計の測定視野方向に沿って誘導光を照射することにより、測定対象物の表面に誘導光を射影し、もって測定視野がどの方向に向いているかを視覚的に把握できるようにしたものが開発されている。
【０００９】
このような誘導光を照射する機能が備えられた放射温度計は、測定対象物に射影された誘導光を容易に視認できる場合、例えば、赤外放射温度計の使用者が他人の体温を測定する場合などにあっては非常に便利である。しかしながら、使用者の視野外にある部分の温度を測定する場合、例えば、使用者が、使用者自身の額や頬などの顔にある部位の体温を測定する場合などにあっては、射影された誘導光も視野外にあることから、その視認はやはり困難となる。
【００１０】
本発明は前記技術的課題を解決するために開発されたものであり、放射温度計の測定視野を測定対象物に対して正しく向けた状態で温度測定することができる新規な温度測定用鏡及び鏡構造を提供することを目的とする。
【課題を解決するための手段】
【００１１】
本発明の温度測定用鏡は、鏡に放射温度計を備えてなる温度測定用鏡であって、前記鏡は、鏡前に配置される測定対象物の鏡像を、前記放射温度計の測定視野に対応する部分を含んだ状態で鏡面上に映すものであり、前記放射温度計は、鏡前に配置される測定対象物に向かう測定視野を有し、前記鏡に測定対象物を映しながら、前記放射温度計で測定対象物の温度を測定することを特徴とする。
【００１２】
本発明において「鏡」とは、可視光線の反射の原理を利用して、姿・形を映して見る道具を意味する。即ち、本発明の温度測定用鏡において用いられる「鏡」としては、一般的に流通している鏡製品全般を対象としており、その大きさや形状或いは製品形態について特に限定されるものではない。具体的な鏡製品の形態としては、例えば、壁掛け鏡、スタンドミラー、ドレッサー、鏡台、三面鏡、姿見、手鏡、或いは自動車内のルームミラーや化粧ミラー等を挙げることができる。
【００１３】
一方、本発明において、前記鏡に備えられる「放射温度計」としては、測定視野に対応する部分の温度を非接触状態で測定し得るものであれば特に限定されるものではない。本発明の温度測定用鏡においては、測定対象物から放射されている赤外線のエネルギー量を温度情報として検知する赤外放射温度計が好適に用いられる。
【００１４】
本発明の温度測定用鏡において、前記鏡は、鏡前に配置される測定対象物の鏡像を、前記放射温度計の測定視野に対応する部分を含んだ状態で鏡面上に映すものであり、前記放射温度計は、鏡前に配置される測定対象物に向かう測定視野を有する。
【００１５】
即ち、本発明の温度測定用鏡は、前記鏡に測定対象物を映しながら、前記放射温度計で測定対象物の温度を測定するものであり、鏡面上に測定対象物の鏡像が映れば、放射温度計の測定視野は測定対象物に向かう。これより、使用者が、使用者自身の額や頬などの顔にある部位の体温を測定する場合など、使用者の視野外にある部分の温度を測定する場合にあっても、放射温度計の測定視野を測定対象物に対して正しく向けた状態で温度測定することができる。
【００１６】
本発明の温度測定用鏡においては、放射温度計の測定視野方向に誘導光を照射する誘導光照射装置を備えることが好ましい。
【００１７】
即ち、本発明の温度測定用鏡は、鏡前に配置される測定対象物の鏡像を、放射温度計の測定視野に対応する部分を含んだ状態で鏡面上に映すものであることから、前記放射温度計の測定視野方向に誘導光を照射する誘導光照射装置を備えた場合、測定対象物における、前記誘導光が射影された部分を含む鏡像が鏡面上に映ることになる。これより使用者の視野外にある部分の温度を測定する場合にあっても、誘導光が射影された鏡像を見ることによって、放射温度計の測定視野を視認することができる。
【００１８】
前記誘導光照射装置としては、可視光領域の波長を有する誘導光を照射することができ、測定対象物の表面に放射温度計の測定視野の中心付近や範囲を示すスポットを一時的ないし常時射影し得るものであれば特に限定されるものではない。具体的に例えば、レーザーポインタなどと称される装置等を挙げることができる。
【００１９】
ところで、人の体温は体の部分によって微妙に異なる値をとる。そのため、人の日常の体温変化をデータとして蓄積するにあたっては、ほぼ同じ位置の体温を測定することが好ましい。
【００２０】
そこで、本発明の温度測定用鏡においては、放射温度計の測定視野の目安となる印を鏡面に一時的ないし常時表示することが好ましい。
【００２１】
即ち、本発明の温度測定用鏡において、測定視野の目安となる印として、鏡面に測定視野の中心付近又は範囲を示す図形や、測定対象物を映すべき範囲を示す輪郭を表示すれば、当該印を頼りにして測定対象物を毎回ほぼ同様の位置に映すことが容易となり、もって、ほぼ同じ位置の温度を測定することができる。
【００２２】
前記印を鏡面に一時的ないし常時表示する手段としては特に限定されるものではない。係る手段を具体的に例えば、塗料或いはサンドブラストやフォトブラストなどによって鏡面に印を直接描く手段等を挙げることができる。又、鏡面の一部ないし全部をマジックミラー状の液晶ディスプレイとして、バックライトの点灯により鏡面に印が表示されるようにする手段等も挙げることができる。
【００２３】
本発明の温度測定用鏡においては、鏡に放射温度計を備えるにあたり、放射温度計の測定視野の向きが変更可能となるようにすることが好ましい。
【００２４】
即ち、本発明の温度測定用鏡を壁掛け鏡などの固定式の鏡として複数の使用者が使用すると、使用者の体格によって放射温度計の測定視野から外れる場合がある。
【００２５】
この点につき、本発明の温度測定用鏡において、放射温度計の測定視野の向きが変更可能となるように、鏡に放射温度計を備えれば、使用者の体格に応じた温度測定が可能になる。
【００２６】
放射温度計の測定視野の向きが変更可能となるように、鏡に放射温度計を備える手段としては、特に限定されるものではない。係る手段を具体的に例えば、回転軸を介して鏡に放射温度計を取り付けたり、球面状凸部を有する雄型及び球面状凹部を有する雌型からなる雄雌一組の嵌合部材を介して鏡に放射温度計を取り付けたりすることにより、鏡に対して放射温度計を回動可能に取り付ける手段等を挙げることができる。測定視野の向きの変更は、手動操作によって行っても良く、モーターなどの駆動装置を介して行っても良い。又、有線又は無線による遠隔操作によって、測定視野の向きの変更命令が与えられるようにしても良い。更に、複数の異なる測定視野の方向を記憶する記憶手段を設け、ボタン操作等によって、放射温度計の測定視野が各使用者に応じた方向に向くようにしても良い。
【００２７】
なお、放射温度計の測定視野を変更するにあたっては、当該測定視野の変更に応じて、前記誘導光照射装置の向きや、鏡面に測定視野の目安として表示される印の位置も適宜変更されるようにすることが好ましい。
【００２８】
本発明の温度測定用鏡においては、放射温度計によって測定された測定温度を記録する測定温度記録部を備えることが好ましい。
【００２９】
即ち、本発明の温度測定用鏡によって測定された測定温度を記録し、例えば、日常の体温データとして蓄積すれば、蓄積された体温データに基づく変化の具合を知ることができ、現在の健康状態の把握に役立つ。
【００３０】
前記測定温度記録部としては、測定温度を記録し得るものであれば特に限定されるものではない。具体的に例えば、ＲＡＭなどの主記憶装置、或いはメモリカードやＵＳＢメモリと称される電子媒体等を挙げることができる。係る測定温度記録部は、本発明の温度測定用鏡自体に備えても良い。又、有線又は無線で接続された別体のコンピュータ等の機器に測定温度の情報を送信し、該機器の主記憶装置や電子媒体等に記録されるようにしても良い。更に、ボタン操作等によって、複数の測定対象物毎の測定温度が記録されるようにしても良く、測定温度と共に測定日時も記録されるようにしても良い。
【００３１】
本発明の温度測定用鏡においては、放射温度計によって測定された測定温度を表示する測定温度表示部を備えることが好ましい。
【００３２】
即ち、本発明の温度測定用鏡によって測定された測定温度は、測定時に表示することなく前記測定温度記録部に記録しても良いのであるが、係る測定温度は、鏡の使用者の目に見える範囲に表示し、使用者が測定時に視覚的に確認できるようにすることが好ましい。
【００３３】
前記測定温度表示部としては、測定温度を鏡の使用者の目に見える範囲において、一時的ないし常時表示するものであれば特に限定されるものではない。具体的に例えば、鏡や鏡枠などに測定温度を表示する表示画面を設ける手段等を挙げることができる。又、鏡面の一部ないし全部をマジックミラー状の液晶ディスプレイとして、バックライトの点灯により鏡面に測定温度が表示されるようにする手段等も挙げることができる。
【００３４】
本発明の温度測定用鏡においては、放射温度計によって測定された測定温度が基準温度として設定された温度範囲を超えた場合、又は、基準温度として設定された温度範囲に至らなかった場合に信号を発する通知装置を備えることが好ましい。
【００３５】
即ち、例えば人の体温は、体温調節中枢の働きにより通常３６〜３７℃にコントロールされているが、体温が高すぎても低すぎても生命活動に影響を与える。
【００３６】
この場合において、例えば基準温度を３６〜３７℃に設定し、放射温度計によって測定された測定温度がこの範囲内に入らなかった場合に、通知装置が何らかの警告信号（音、光、振動或いはメッセージ等）を発するようにすれば、意識していなかった健康状態の悪化などに対する注意を促し、引いては疾患の早期発見・回復にも役立つ。
【００３７】
本発明の温度測定用鏡は、鏡に測定対象物を映しながら、放射温度計で測定対象物の温度を測定する。この放射温度計による温度測定は、常時実行し続けるようにしても良い。
【００３８】
しかしながら、鏡の前に測定対象物が存在しないときにおいても温度測定を実行し続けることは殆ど意味が無い場合が多い。又、省エネルギーの観点からも鏡の前に測定対象物が存在しないときは温度測定を停止することが好ましい。少なくとも、鏡の前に測定対象物が存在しないときの温度表示や測定視野の目安となる印の表示或いは誘導光の照射等は、無駄に電力を消費することから停止することが好ましい。
【００３９】
この温度測定等の実行／停止の命令は、スイッチやボタンなどを使用者が操作して行うようにしても良い。特に、本発明の温度測定用鏡においては、音、光、熱或いは振動等を感知するセンサ等の感知装置を備え、該感知装置が鏡の前に測定対象物が存在することを感知した場合に、放射温度計による温度測定や温度表示、測定者の目安となる印の表示或いは誘導光の照射等を開始する命令が発せられるようにすることが好ましい。この場合、放射温度計自体が温度センサとして感知装置を兼ねても良い。
【００４０】
なお、本発明の温度測定用鏡の動力源としては、通常、電気エネルギーが好適に用いられる。この電気エネルギーは、家庭用コンセントや電池から供給することができる。又、太陽電池パネルを設けて、光エネルギーを電気エネルギーに変換して供給しても良い。
【００４１】
本発明の温度測定用鏡においては、測定対象物として主に人を想定するが、必ずしも人に限定するものではない。場合によってはペットや家畜等の動物、家屋内壁その他の事物も測定対象物とすることができる。この場合、測定対象物の特性や表面性状によって放射される赤外線の出方が異なることから、測定対象物に応じた放射率を適宜設定して測定したり、測定対象物の測定位置に黒色塗料を塗布したり黒色テープを貼付したりして測定することが好ましい。
【００４２】
又、外気の寒暖等が、測定対象物の表面温度に影響を与える場合があることから、検知した温度情報を外気温に応じて適宜補正することが好ましい。更に、放射温度計と測定対象物の距離が測定毎に極端に変わることによる誤差を是正するために、例えば、複数の誘導光が一定距離において焦点を結ぶように角度を変えて照射し、該複数の誘導光が結ぶ焦点が射影された測定対象物の鏡像を目安に、一定の測定距離が視覚的に把握できるようにすることが好ましい。
【００４３】
加えて、放射温度計の前に障害物が存在し、測定視野が遮られて赤外線の検知が阻害される場合にあっては、該障害物に適当な大きさの孔やスリットを設けて、測定対象物から出る赤外線が前記孔やスリットを通過して放射温度計の受光面に届くようにすることが好ましい。
【００４４】
続いて本発明の鏡構造について説明する。但し、前記本発明の温度測定用鏡において既述した事項は本発明の鏡構造においても同様である。
【００４５】
本発明の鏡構造は、測定対象物を鏡に映しながら、測定対象物の温度を放射温度計で測定する鏡構造であって、該鏡構造は、鏡前に配置される測定対象物の鏡像を、前記放射温度計の測定視野に対応する部分を含んだ状態で鏡面上に映す鏡と、鏡前に配置される測定対象物に向かう測定視野を有する放射温度計とを具備することを特徴とする。
【００４６】
即ち、前述の本発明の温度測定用鏡は、鏡（鏡枠を含む）の適宜箇所に直接、或いは何らかの取り付け部材を介して放射温度計を備え付けるものであるが、本発明の鏡構造は、必ずしも放射温度計を鏡に備え付ける場合のみを想定するものではない。例えば、前記放射温度計を鏡とは別体として、鏡から離れた位置にある壁や柱等の支持部材に備え付けても良い。
【発明の効果】
【００４７】
本発明は前記構成を有し、鏡に測定対象物を映しながら、放射温度計で測定対象物の温度を測定するものであり、鏡に測定対象物が映れば、放射温度計の測定視野が測定対象物に向かう。これより、使用者が、使用者自身の額や頬などの顔にある部位の体温を測定する場合など、使用者の視野外にある部分の温度を測定する場合にあっても、放射温度計の測定視野を測定対象物に対して正しく向けた状態で温度測定することができる。
【００４８】
又、洗面、手洗い、歯磨き、髭剃り、調髪、化粧、着替え或いは身だしなみの確認等、日常生活において鏡の前で作業する機会は非常に多く、しかも前記作業は、ほぼ定期的に行うことが多い。従って、鏡の前で何らかの作業をする度に体温を測定すれば、日常の定期的な体温データの獲得が期待される。
【００４９】
更に、放射温度計は、測定対象物に対して非接触の状態で温度を測定することができるため、鏡の前での作業を中断することなく体温を測定することができる。
【図面の簡単な説明】
【００５０】
【図１】図１は、実施形態１に係る本発明の温度測定用鏡を示す模式図である。
【図２】図２は、放射温度計の構造を示す断面図である。
【図３】図３は、実施形態１に係る本発明の温度測定用鏡の構成を示す構成図である。
【図４】図４は、実施形態１に係る本発明の温度測定用鏡の使用状態を説明する説明図である。
【図５】図５は、実施形態２に係る本発明の温度測定用鏡を示す模式図である。
【図６】図６は、実施形態２に係る本発明の温度測定用鏡の構成を示す構成図である。
【図７】図７は、実施形態２に係る本発明の温度測定用鏡の使用状態を説明する説明図である。
【図８】図８は、実施形態３に係る本発明の温度測定用鏡を示す模式図である。
【図９】図９は、実施形態３に係る本発明の温度測定用鏡の構成を示す構成図である。
【図１０】図１０は、実施形態３に係る本発明の温度測定用鏡の使用状態を説明する説明図である。
【発明を実施するための形態】
【００５１】
以下、本発明の実施形態を図面を参照して説明するが、本発明はこれらの実施形態に限定されるものではない。
【００５２】
＜実施形態１＞
図１に、本発明の温度測定用鏡１の一実施形態を示す。この温度測定用鏡１は、鏡３と放射温度計２を具備する。
【００５３】
鏡３は、いわゆる壁掛け鏡であり、放射温度計２は、測定対象物から放射される赤外線のエネルギー量を温度情報として検知する赤外放射温度計である。
【００５４】
図２にこの放射温度計２の概略を示す。この放射温度計２は、赤外線検出素子１０１と、赤外線検出素子１０１を収納するパッケージ１０２と、赤外線検出素子１０１の受光面へ赤外線を集光する赤外線レンズ１０３を備える。パッケージ１０２には、赤外線検出素子１０１の受光面の前方にあたる部分に窓部１０４が形成され、赤外線レンズ１０３は、窓部１０４を覆うようにパッケージ１０２に固着されている。この放射温度計２は、赤外線レンズ１０３を露出した状態でケーシング２１内に取り付けられる。
【００５５】
前記ケーシング２１は、鏡３の裏面上部中央に備え付けられている。この鏡３の上部中央には貫通孔３１が設けられており、放射温度計２の測定視野は、前記貫通孔３１を通して、鏡前に配置される測定対象物に向けられる。
【００５６】
鏡３の裏面上部左側には、温度測定の実行／停止の命令を行う操作部４としてのスイッチが配され、鏡３の裏面上部右側には通知装置５としてのブザー５が配されている。又、鏡３の表面下部中央には、測定温度表示部６としてのマジックミラー状の液晶ディスプレイが配されている。更に、鏡３の表面中央部よりやや上の位置には、測定位置の目安となる印７（Ｘ印）がサンドブラストによって描かれている。
【００５７】
図３に示すように、この温度測定用鏡１において、放射温度計２、操作部４、測定温度表示部６及び通知装置５は、制御部８によって制御されている。
【００５８】
操作部４の操作により温度測定開始命令を受けた制御部８は、放射温度計２に温度測定開始を指示する。係る指示を受けた放射温度計２は、測定対象物が放射する赤外線を検知してそのエネルギー量に応じた強度の検出信号を制御部８に出力する。検出信号を受け取った制御部８は、検出信号が示す赤外線のエネルギー量の単位時間当たりの平均値に基づいて測定対象物の温度を算出する。算出した温度の情報は、測定温度表示部６に送られ、バックライトの点灯と共に鏡面上に液晶表示される。又、制御部８には図示しない測定温度記録部としてのメモリカードが付帯されており、ここに算出した温度の情報を蓄積する。更に、制御部８には基準温度を設定・記憶することができ、算出した温度が設定された基準温度の範囲内に入っていない場合に、通知装置５に警告音を出すように命令する。
【００５９】
図４に、この温度測定用鏡１の使用状態を示す。測定対象物である使用者Ｓは、鏡面上に描かれた印７を頼りに鏡３の正面の所定位置（この場合、鏡３に映った使用者Ｓの鏡像Ｓ１における額中央部が印７に重なる位置）に立つ。次に、使用者Ｓは、スイッチ（操作部４）を操作し、放射温度計２による温度測定を開始する。測定された温度は、液晶ディスプレイ（測定温度表示部６）において液晶表示されると共にメモリカード（測定温度記録部）に記録される。この際、測定された温度が設定された基準温度の範囲（例えば、３６〜３７℃）に入っていない場合には、ブザー（通知装置５）が警告音を出す。
【００６０】
＜実施形態２＞
図５に、本発明の温度測定用鏡１の他の実施形態を示す。この温度測定用鏡１は、鏡３及び放射温度計２を具備する。
【００６１】
鏡３は、鏡枠３２を有する壁掛け鏡であり、放射温度計２は、前記実施形態１と同様のものを用いている。
【００６２】
放射温度計２が取り付けられるケーシング２１には、更に、誘導光照射装置９としてのレーザーポインタが放射温度計２に隣接した位置に取り付けられている。この誘導光照射装置９としてのレーザーポインタから照射される誘導光（可視光領域の波長を有するレーザー光）の向きは、放射温度計２の測定視野の向きに沿った方向に設定している。なお、安全対策上、前記誘導光照射装置９としてのレーザーポインタから照射される誘導光の出力は、クラス１程度（ＪＩＳ  Ｃ  ６８０２の平成１７年改訂に準じたクラス分けに基づく）の微弱なものに設定されている。
【００６３】
前記ケーシング２１は、鏡枠３２の前面上部中央に備え付けられている。なお、ケーシング２１は、回転軸１０を介して鏡枠３２に上下方向に回動自在となるように備え付けられている。鏡３の表面下部中央には、測定温度表示部６としてのマジックミラー状の液晶ディスプレイが配されている。
【００６４】
図６に示すように、この温度測定用鏡１において、放射温度計２、誘導光照射装置９及び測定温度表示部６は、制御部８によって制御されている。
【００６５】
放射温度計２は、感知装置としての温度センサを兼ねており、常時、外界の赤外線を検知してそのエネルギー量に応じた強度の検出信号を制御部８に出力する。制御部８は、検出信号の変化により鏡３の前に測定対象物が存在することを認識すると、誘導光照射装置９に誘導光の照射を命令する。又、制御部８は、検出信号が示す赤外線のエネルギー量の単位時間当たりの平均値に基づいて測定対象物の温度を算出する。算出した温度の情報は、測定温度表示部６に送られ、バックライトの点灯と共に鏡面上に液晶表示される。更に、制御部８には、図示しない測定温度記録部としてのメモリカードが付帯されており、ここに算出した温度の情報を蓄積する。
【００６６】
図７に、この温度測定用鏡１の使用状態を示す。鏡３の前に測定対象物である使用者Ｓが立つと、その存在を感知して、使用者Ｓに向けて誘導光が照射される。測定対象物である使用者Ｓは、誘導光のスポット９１が射影された本人の鏡像Ｓ１を頼りに鏡３の正面の所定位置（この場合、使用者Ｓの額中央部に誘導光のスポット９１が射影されていることが鏡像Ｓ１によって確認できる位置）に立つ。なお、使用者Ｓの体格により誘導光が外れる場合にあっては、鏡像Ｓ１を見ながら、使用者Ｓがケーシング２１を上下方向に回動して、額中央部に誘導光のスポット９１が射影されるようにする。自動的に測定された温度は、鏡面上の液晶ディスプレイ（測定温度表示部６）において液晶表示されると共にメモリカード（測定温度記録部）に記録される。
【００６７】
＜実施形態３＞
図８に、本発明の温度測定用鏡１の更に他の実施形態を示す。この温度測定用鏡１は、鏡３及び放射温度計２を具備する。
【００６８】
鏡３は、いわゆる手鏡であり、普段は鏡面を覆っているカバー３３を使用時に回動させることにより鏡面を露出させるものである。放射温度計２は、前記実施形態１と同様のものを用いている。
【００６９】
放射温度計２は、カバー３３を回動させるためのヒンジに取り付けられている。又、ヒンジには、放射温度計２に隣接して、測定温度表示部６としての液晶表示画面が配されている。更に、鏡３の表面には、測定位置の目安としての印７（輪郭）が、サンドブラストによって描かれている。
【００７０】
図９に示すように、この温度測定用鏡１において、放射温度計２、測定温度表示部６及びカバー３３は、制御部８によって制御されている。
【００７１】
カバー３３は、放射温度計２による温度測定の実行／停止の命令を行う操作部４を兼ねており、鏡面を露出するために該カバー３３を回動すると、制御部８がその情報を受け取り、放射温度計２に温度測定開始命令を与える。命令を受け取った放射温度計２は、測定対象物が放射する赤外線を検知してそのエネルギー量に応じた強度の検出信号を制御部８に出力する。制御部８は、検出信号が示す赤外線のエネルギー量の単位時間当たりの平均値に基づいて測定対象物の温度を算出する。算出した温度の情報は、測定温度表示部６に送られて液晶表示される。
【００７２】
図１０に、この温度測定用鏡１の使用状態を示す。測定対象物である使用者Ｓは、カバー３３を回動させて鏡面を露出し、鏡面に描かれた印７を頼りに鏡３の所定位置（この場合、鏡像Ｓ１の顔部分が印７としての輪郭内に収まる位置）に顔を映す。放射温度計２によって測定された温度は、液晶表示画面（測定温度表示部６）において液晶表示される。
【産業上の利用可能性】
【００７３】
本発明の温度測定用鏡及び放射温度計は、一般家庭内のみならず、学校、塾、病院等の公共施設においても好適に使用することができる。
【符号の説明】
【００７４】
１  温度測定用鏡
２  放射温度計
３  鏡
４  操作部
５  通知装置
６  測定温度表示部
７  印
８  制御部
９  誘導光照射装置
【図１】
2011169741.tif 000003
【図２】
2011169741.tif 000004
【図３】
2011169741.tif 000005
【図４】
2011169741.tif 000006
【図５】
2011169741.tif 000007
【図６】
2011169741.tif 000008
【図７】
2011169741.tif 000009
【図８】
2011169741.tif 000010
【図９】
2011169741.tif 000011
【図１０】
2011169741.tif 000012
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
鏡に放射温度計を備えてなる温度測定用鏡であって、前記鏡は、鏡前に配置される測定対象物の鏡像を、前記放射温度計の測定視野に対応する部分を含んだ状態で鏡面上に映すものであり、前記放射温度計は、鏡前に配置される測定対象物に向かう測定視野を有し、前記鏡に測定対象物を映しながら、前記放射温度計で測定対象物の温度を測定することを特徴とする温度測定用鏡。
【請求項２】
請求項１に記載の温度測定用鏡において、放射温度計の測定視野方向に誘導光を照射する誘導光照射装置が備えられてなり、測定対象物における、前記誘導光が照射された部分を含む鏡像が鏡面上に映ることにより放射温度計の測定視野が視認できる温度測定用鏡。
【請求項３】
請求項２に記載の温度測定用鏡において、複数の誘導光が一定距離において焦点を結ぶように角度を変えて照射される温度測定用鏡。
【請求項４】
請求項１ないし３のいずれか１項に記載の温度測定用鏡において、放射温度計の測定視野の目安となる印が鏡面に一時的ないし常時表示される温度測定用鏡。
【請求項５】
請求項１ないし４のいずれか１項に記載の温度測定用鏡において、放射温度計の測定視野の向きが変更可能となるように、鏡に放射温度計が備えられる温度測定用鏡。
【請求項６】
請求項１ないし５のいずれか１項に記載の温度測定用鏡において、放射温度計によって測定された測定温度を記録する測定温度記録部を備えてなる温度測定用鏡。
【請求項７】
請求項１ないし６のいずれか１項に記載の温度測定用鏡において、放射温度計によって測定された測定温度を表示する測定温度表示部を備えてなる温度測定用鏡。
【請求項８】
請求項１ないし７のいずれか１項に記載の温度測定用鏡において、放射温度計によって測定された測定温度が、基準温度として設定された温度範囲を超えた場合、又は、基準温度として設定された温度範囲に至らなかった場合に信号を発する通知装置を備えてなる温度測定用鏡。
【請求項９】
請求項１ないし８のいずれか１項に記載の温度測定用鏡において、測定対象物の存在を感知する感知装置を備えてなる温度測定用鏡。
【請求項１０】
測定対象物を鏡に映しながら、測定対象物の温度を放射温度計で測定する鏡構造であって、該鏡構造は、鏡前に配置される測定対象物の鏡像を、前記放射温度計の測定視野に対応する部分を含んだ状態で鏡面上に映す鏡と、鏡前に配置される測定対象物に向かう測定視野を有する放射温度計とを具備することを特徴とする鏡構造。
【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
鏡に放射温度計を備えてなる温度測定用鏡であって、
前記放射温度計には、放射温度計の測定視野方向に誘導光を照射する誘導光照射装置が備えられてなり、
前記鏡は、測定視野方向に存する鏡前の所定位置に使用者が位置した際に、使用者及び使用者に照射された誘導光のスポットの鏡像を鏡面上に映し、且つ、一回の鏡面反射によって、係る鏡面上に映し出された使用者及びスポットの鏡像を、使用者自身に視認させ得る大きさを有し、
前記誘導光照射装置から照射される誘導光の照射方向は、鏡前に位置した使用者が、一回の鏡面反射によって鏡面上に映し出されたスポットの鏡像を頼りに、測定視野方向を認識することができる方向に向けられてなり、
前記鏡に使用者及びスポットの鏡像を映しながら、前記放射温度計で使用者の温度を測定することを特徴とする温度測定用鏡。
【請求項２】
請求項１に記載の温度測定用鏡において、複数の誘導光が一定距離において焦点を結ぶように角度を変えて照射される温度測定用鏡。
【請求項３】
請求項１又は２に記載の温度測定用鏡において、放射温度計の測定視野の目安となる印が鏡面に一時的又は常時表示される温度測定用鏡。
【請求項４】
請求項１ないし３のいずれか１項に記載の温度測定用鏡において、放射温度計の測定視野の向きが変更可能となるように、鏡に放射温度計が備えられる温度測定用鏡。
【請求項５】
請求項１ないし４のいずれか１項に記載の温度測定用鏡において、放射温度計によって測定された測定温度を記録する測定温度記録部を備えてなる温度測定用鏡。
【請求項６】
請求項１ないし５のいずれか１項に記載の温度測定用鏡において、放射温度計によって測定された測定温度を表示する測定温度表示部を備えてなる温度測定用鏡。
【請求項７】
請求項１ないし６のいずれか１項に記載の温度測定用鏡において、放射温度計によって測定された測定温度が、基準温度として設定された温度範囲を超えた場合、又は、基準温度として設定された温度範囲に至らなかった場合に信号を発する通知装置を備えてなる温度測定用鏡。
【請求項８】
請求項１ないし７のいずれか１項に記載の温度測定用鏡において、測定対象物の存在を感知する感知装置を備えてなる温度測定用鏡。
【請求項９】
使用者を鏡に映しながら、使用者の温度を放射温度計で測定する鏡構造であって、
該鏡構造は、
鏡と、
測定視野方向に誘導光を照射する誘導光照射装置が備えられた放射温度計と、
を具備し、
前記鏡は、測定視野方向に存する鏡前の所定位置に使用者が位置した際に、使用者及び使用者に照射された誘導光のスポットの鏡像を鏡面上に映し、且つ、一回の鏡面反射によって、係る鏡面上に映し出された使用者及びスポットの鏡像を、使用者自身に視認させ得る大きさを有し、
前記誘導光照射装置から照射される誘導光は、鏡前に位置した使用者が、一回の鏡面反射によって鏡面上に映し出されたスポットの鏡像を頼りに、測定視野方向を認識することができる方向に向けられてなり、
前記鏡に使用者及びスポットの鏡像を映しながら、前記放射温度計で使用者の温度を測定することを特徴とする鏡構造。
【手続補正２】
【補正対象書類名】明細書
【補正対象項目名】００１１
【補正方法】変更
【補正の内容】
【００１１】
本発明の温度測定用鏡は、鏡に放射温度計を備えてなる温度測定用鏡であって、前記放射温度計には、放射温度計の測定視野方向に誘導光を照射する誘導光照射装置が備えられてなり、前記鏡は、測定視野方向に存する鏡前の所定位置に使用者が位置した際に、使用者及び使用者に照射された誘導光のスポットの鏡像を鏡面上に映し、且つ、一回の鏡面反射によって、係る鏡面上に映し出された使用者及びスポットの鏡像を、使用者自身に視認させ得る大きさを有し、前記誘導光照射装置から照射される誘導光の照射方向は、鏡前に位置した使用者が、一回の鏡面反射によって鏡面中に映し出されたスポットの鏡像を頼りに、測定視野方向を認識することができる方向に向けられてなり、前記鏡に使用者及びスポットの鏡像を映しながら、前記放射温度計で使用者の温度を測定することを特徴とする。
【手続補正３】
【補正対象書類名】明細書
【補正対象項目名】００１６
【補正方法】変更
【補正の内容】
【００１６】
本発明の温度測定用鏡は、放射温度計の測定視野方向に誘導光を照射する誘導光照射装置を備える。
【手続補正４】
【補正対象書類名】明細書
【補正対象項目名】００４５
【補正方法】変更
【補正の内容】
【００４５】
本発明の鏡構造は、使用者を鏡に映しながら、使用者の温度を放射温度計で測定する鏡構造であって、該鏡構造は、鏡と、測定視野方向に誘導光を照射する誘導光照射装置が備えられた放射温度計と、を具備し、前記鏡は、測定視野方向に存する鏡前の所定位置に使用者が位置した際に、使用者及び使用者に照射された誘導光のスポットの鏡像を鏡面上に映し、且つ、一回の鏡面反射によって、係る鏡面上に映し出された使用者及びスポットの鏡像を、使用者自身に視認させ得る大きさを有し、前記誘導光照射装置から照射される誘導光は、鏡前に位置した使用者が、一回の鏡面反射によって鏡面上に映し出されたスポットの鏡像を頼りに、測定視野方向を認識することができる方向に向けられてなり、前記鏡に使用者及びスポットの鏡像を映しながら、前記放射温度計で使用者の温度を測定することを特徴とする。